(57)【要約】      （修正有）【課題】癒し機能や、高さ調節機能が簡単に装着できると共に、ソフトな感触と寝心地が良いピローを提供する。【解決手段】折り曲げ自在な連結部４を介して一体的に設けた、一対のピロー体２，３と、両ピロー体の内外中央部に形成した凹部７，９と、連結部を除く周縁に設けたファスナー５ａ，５ｂとから成り、一体化時に両ピロー体間の隙間部に癒し機能部材１１や高さ調節部材１２を設置すると共に、凹部と隙間部の空気層との相乗効果にてソフトな感触を得る。【選択図】図２
0003190815.tif 000002
【実用新案登録請求の範囲】
【請求項１】
中央の折り曲げ自在な連結部を介して一体的に設けた一対の上側のピロー体と下側のピロー体とを有し、同上側のピロー体と下側のピロー体の中央部にはそれぞれ外側及び内側に凹部を設ける一方、上記連結部を除く上側のピロー体と下側のピロー体の周縁には同両者を接合分離自在に連結するファスナーを設けて成り、
上記連結部を折り曲げて下側のピロー体の上に上側のピロー体を重ね合わせ、ファスナーを閉じて両者を一体化すると共に、一体化時に上側のピロー体と下側のピロー体との間に形成される隙間部に、香り発生部材、冷却機能部材、温度発生部材などの癒し機能部材又は高さ調節部材を単一的若しくは複合的に挿入配置せしめたことを特徴とするピロー。
【請求項２】
ピロー体を構成する生地に超極細繊維ポリエステル素材を使い、中綿にポリエステル綿を使用したことを特徴とする請求項１に記載のピロー。
【考案の詳細な説明】
【技術分野】
【０００１】
本考案は、香り・加温・冷却などの癒し機能や、高さ調節機能が簡単にできるピローに関する。
【背景技術】
【０００２】
従来、上下の高さ、並びに熱を放出するためにアルミ合金で構成し、その内部空間に振動機能や、香りを一定量放出する穴を設けたピローが提案されている。（特許文献１）
また、頭部を載せる深さ調節可能な凹部をピロー中央部に設け、凹部をピローの表面略中央部と裏面略中央部の４点を糸体で絞り寄せて形成し、糸体の絞り方を調節するだけで高さを変更できるようにしたピローも提案されている。（特許文献２）
【先行技術文献】
【特許文献】
【０００３】
【特許文献１】登録実用新案第３０５２１３２号
【特許文献２】登録実用新案第３０３７５３１号
【考案の概要】
【考案が解決しようとする課題】
【０００４】
上記特許文献１のピローは、金属製のためソフトな感触もなく寝心地が悪く、且つ構造も複雑でコスト高となるため、商品化されていないのが現実である。
上記特許文献２のピローは、高さ調節が比較的狭い範囲でしかできず寝心地が今一つであると共に、調節操作が煩雑であるという問題があった。
【０００５】
また、温度調節するため、例えば電気毛布のようにピロー内部にヒーター線を埋設することも考えられるが、特許文献１同様に構造が複雑となりコスト高となる問題を有する。
【０００６】
本考案は上記のような問題に鑑みてなされたものであり、その目的とするところは、香り・加温・冷却などの癒し機能や、高さ調節機能を簡単に行え、且つソフトな感触を有し寝心地が非常に良いピローを提供するものである。
【課題を解決するための手段】
【０００７】
本考案のピローは、中央の折り曲げ自在な連結部を介して一体的に設けた一対の上側のピロー体と下側のピロー体とを有し、同上側のピロー体と下側のピロー体の中央部にはそれぞれ外側及び内側に凹部を設ける一方、上記連結部を除く上側のピロー体と下側のピロー体の周縁には同両者を接合分離自在に連結するファスナーを設けて成り、
上記連結部を折り曲げて下側のピロー体の上に上側のピロー体を重ね合わせ、ファスナーを閉じて両者を一体化すると共に、一体化時に上側のピロー体と下側のピロー体との間に形成される隙間部に、香り発生部材、冷却機能部材、温度発生部材などの癒し機能部材又は高さ調節部材を単一的若しくは複合的に挿入配置せしめたことを特徴とする。
【０００８】
更に、本考案のピローは、ピロー体を構成する生地に超極細繊維ポリエステル素材を使い、中綿にポリエステル綿を使用したことを特徴とする。
【考案の効果】
【０００９】
第１に、個人の好みに応じて、お好みのアロマオイルなどの香り液を適量吸収させた香り機能部材や、季節、環境に応じて保冷剤などの冷却機能部材、ホッカイロ（登録商標）などの温度発生部材等の癒し機能部材を、上側のピロー体と下側のピロー体との間に形成される隙間部の自由な位置に挿入配置することができ、よりよい睡眠環境を奏すことのできるピローを提供できる利点がある。
【００１０】
第２に、専用の座布団状の高さ調節部材、又は一般に販売されている市販品のタオルなどの高さ調節部材を、上側のピロー体と下側のピロー体との間に形成される隙間部の自由な位置に挿入配置する事ができ、高さ調節が簡単、且つ、個人個人に応じた最適高さに設定することができるピローを提供できる利点がある。
【００１１】
第３に、上側のピロー体と下側のピロー体の外側中央部にそれぞれ設けた凹部と、上側のピロー体と下側のピロー体との間に形成される隙間部の空気層との相乗効果により、よりソフトな感触と、且つ、空気層により上向きの姿勢だったり、横向きの姿勢だったりしても頭が上がりすぎず、下がりすぎずの寝姿姿勢状態を得ることができて常に頚椎に沿った形状で理想的な姿勢で眠る事ができ、寝心地が非常に良いピローを提供できる利点がある
【００１２】
第４に、上記ファスナーの接合を外し、連結部を介して上側のピロー体と下側のピロー体を簡単に開くことができるので、上記癒し機能部材や高さ調節部材の挿入や取り出しを容易にできると共に、開放状態での丸洗いも可能となり、洗濯、乾燥を容易にして衛生面に寄与できるピローを提供できる利点がある。
【００１３】
第５に、ピローを構成する生地に超極細繊維ポリエステル素材を使用し、中綿にポリエステル綿を使用してなるので、皺になりにくく、水はけがよく、丸洗いに適し、洗濯、乾燥後に、ピローの型崩れが少なく、且つポリエステル綿が有する復元機能によりピローの元形状を常に維持した状態で使えるピローを提供できる利点がある。
【図面の簡単な説明】
【００１４】
【図１】本考案の第１実施例を示すピローの外観斜視図。
【図２】図１のピローの開放状態を示すピローの外観斜視図。
【図３】図１のピローの断面図。
【図４】図１のピローの開放状態時の断面図。
【図５】広幅タイプの高さ調節用部材を示す外観図。
【図６】小型タイプの高さ調節用部材を示す外観図。
【考案を実施するための形態】
【００１５】
以下、本考案の実施例を図面に基づいて詳述する。
図１乃至図４に示すようにピロー本体１は、中央の折り曲げ自在な連結部４を介して一体的に設けた一対の平面視長方形状の上側のピロー体２及び下側のピロー体３と、上記連結部４を除く周縁に設けた上記上側のピロー体２と下側のピロー体３を接合分離自在に連結するファスナー５とから大略構成している。
【００１６】
上記上側のピロー体２と下側のピロー体３には、図１乃至図４に示すように表面略中央部とそこに対応する裏面略中央部の生地Ａを例えば四角状にそれぞれ直接縫い合わすことによって、外側中央部に頭部を載せるための凹部６、８を形成する一方、内側にも凹部７、９を形成して成り、この内側の凹部７、９により、図３に示すように両ピロー体２，３を積み重ねて一体化した時、同両ピロー体２、３との間に隙間部１０が出来て空気層が具現されるよう形成している。
また、上記上側のピロー体２と下側のピロー体３の外周面を覆う生地Ａには超極細繊維ポリエステル素材を使用し、同生地Ａ内に埋設する中綿Ｂには復元機能を有するポリエステル綿を使用している。
【００１７】
上記連結部４は、上側のピロー体２と下側のピロー体３との周縁を連続的に結合して縫合わすことによって形成してなり、上側のピロー体２と下側のピロー体３との中綿Ｂの移動を防ぐ役目も有している。
【００１８】
上記ファスナー５は、図２又は図４に示すように一方のファスナー片５ａを上側のピロー体２の連結部４を除く周縁部に縫合し、他方のファスナー片５ｂを下側のピロー体３の連結部４を除く周縁部に縫合して成り、上下のファスナー片５ａ、５ｂを閉じ合わせることにより、図１又は図３に示すように上側のピロー体２と下側のピロー体３の全周縁を連結し一体化できるようにしている。
【００１９】
なお、上記ピロー本体１の周縁部は、図３に示すように上側のピロー体２と下側のピロー体３とを積み重ねた際に、両者間に若干の余裕ができるように幅を持たせてあり、上記隙間部１０内に癒し機能部材１１又は高さ調節部材１２を単一的若しくは複合的に自由な場所に容易に挿入配置できるようにしている。
【００２０】
上記癒し機能部材１１は、香り発生部材、冷却機能部材、温度発生部材などである。同香り発生部材としては、例えば、香水、檜水、芳香剤、アロマオイルなどの香り液を適量吸収させて染み込ませたものである。又冷却機能部材としては、季節、環境に応じてアイスノン（登録商標）などの自己冷却機能を有する保冷部材である。更に、温度発生部材としては、ホッカロン、ホッカイロ（登録商標）などの自己発熱機能を有する部材やカイロ等である。これらにより、よりよい睡眠環境を奏すことのできるピローを得ることができる。
【００２１】
一方、上記高さ調節部材１２は、図５に示すように座布団形状の広幅タイプの高さ調節用部材１２ａや、図６に示すように座布団形状の小幅タイプの高さ調節用部材１２ｂなどである。
なお、高さ調節部材１２としては、上記図５及び図６に示す専用の座布団形状の高さ調節部材１２ａ、１２ｂに限定されるものではなく、例えば一般に販売されているタオル等を用いてもよい。
【００２２】
次に、上記ピロー本体１の使用時について詳述する。
先ずは、図１に示すピロー本体１が一体化された状態において、ファスナー５の連結を解き、図２に示すように連結部４を介して上側のピロー体２と下側のピロー体３を開いた状態にする。
【００２３】
この状態で、下側のピロー体３上の適宜な位置に、上記香り発生部材、冷却機能部材、温度発生部材などの癒し機能部材１１又は高さ調節部材１２を設置する。
そして、再び連結部４を折り曲げて下側のピロー体３の上部に上側のピロー体２を重ね合わせ、ファスナー５を閉じ合わせて全周縁を連結することにより、図１又は図３に示すように上側のピロー体２と下側のピロー体３とを一体化する。
【００２４】
この時、図３に示すように上側のピロー体２と下側のピロー体３との間に形成される隙間部１０内に、上記癒し機能部材１１又は高さ調節部材１２が設置されることとなる。上記癒し機能部材１１又は高さ調節部材１２を、好みに応じた自由な位置に設置することにより、隙間部の任意な位置に挿入配置することができるので、よりよい睡眠環境を奏することができる。
【００２５】
また、上側のピロー体２と下側のピロー体３に形成された外側の凹部６、８と、上側のピロー体２と下側のピロー体４との間に形成される隙間部１０の空気層との相乗効果によって、よりソフトな感触と、且つ、空気層により上向きの姿勢だったり、横向きの姿勢だったりしても頭が上がりすぎず、下がりすぎずの寝姿姿勢状態を得ることができ、常に頚椎に沿った形状で理想的な姿勢で眠る事ができ、非常に寝心地が良いピローとなる。
【００２６】
更にまた、上記高さ調節部材１２を必要に応じて一個若しくは複数個挿入すればピローの高さ調節が簡単に行え、しかも広い範囲で調節可能であるため、個人個人に応じた最適高さに簡単に調節することができる。
【００２７】
なお、図４に示すように再びファスナー５による連結を解き、連結部４を介して上側のピロー体２を開くことによって、上記癒し機能部材１１や高さ調整部材１２の出し入れが簡単にできるので、使い勝手が非常に良いものである。
【００２８】
上記上側のピロー体２と下側のピロー体３の外周面を覆う生地Ａに、超極細繊維ポリエステル素材を使用してなるので、水はけがよく、図２に示すピロー本体１が開いた状態での丸洗いが可能であり、洗濯、乾燥を容易にして衛生面でも寄与できる。又中綿Ｂにポリエステル綿を使用してなるので、同ポリエステル綿が有する復元機能により、中綿Ｂのへたり・偏りが多少あっても元の形状へ回復すると共に、洗濯、乾燥後の型崩れが少なくピロー本体１を元形状に維持可能としている。
【産業上の利用可能性】
【００２９】
本考案のピローは、ふんわりとした寝心地が得られるものであり家庭用として健常者、老若男女問わずに気持ちよく使用できる。また洗濯、乾燥が簡単であるので、病院や介護施設などにも使用できるもので、産業上の利用可能性は高いものである。
【符号の説明】
【００３０】
１  ピロー本体
２  上側のピロー体
３  下側のピロー体
４  連結部
５  ファスナー
５ａ、５ｂ  ファスナー片
６、７、８、９  凹部
１０  隙間部
１１  癒し機能部材
１２  高さ調整部材
Ａ  生地
Ｂ  中綿
【図１】
0003190815.tif 000003
【図２】
0003190815.tif 000004
【図３】
0003190815.tif 000005
【図４】
0003190815.tif 000006
【図５】
0003190815.tif 000007
【図６】
0003190815.tif 000008